(57)【要約】第一の消火装置による手段で、上記消火装置の支持手段（５）が作動手段と協動することにより、上記支持手段から上記消火器が取り外されたときに上記消火器を作動させる。上記支持手段は、壁や柱等に上記支持手段を固定するために、公知の固定手段を備えていてもよい。上記作動手段は解放ピストン（１７）であってもよく、この場合、上記解放ピストン（１７）が上記消火装置のハンドル（４）と直接協動し、上記ハンドル（４）が押下されると上記解放ピストン（１７）に作用するように構成し、且つ、上記消火装置が上記支持手段（５）から取り外されると、上記ハンドル（４）がガイド路に沿って進むように構成する。【選択図】図１
2004506493.tif 000002
【特許請求の範囲】
【請求項１】
作動手段としての解放プランジャー（１７）と協動する消火器用ホルダー装置（５）と、該消火器を作動させるためのハンドル（４）とを備えた該消火器の構成において、
該解放プランジャー（１７）が該ハンドル（４）と直接協動し、該ハンドルの押下によって該解放プランジャー（１７）が作動するように該ハンドル（４）が構成されるとともに、該消火器が該ホルダー装置（５）から取り外されると、該ハンドル（４）がガイド溝に沿って動くことにより、該押下が行なわれるように構成されたことを
特徴とする、消火器の構成。
【請求項２】
該ハンドル（４）が弓状に形成され、その凸面（２９）が該解放プランジャー（１７）の上端に接するように配置されるとともに、該ハンドル（４）がそのハウジングの側面から突き出し、該ハウジングの両側にＬ字溝（２４）として形成された該ガイド溝によって案内されていることを
特徴とする、請求項１記載の構成。
【請求項３】
該解放プランジャー（１７）が、押下されると通路（２２）と同一面となるノッチ（１８）をその上部に備えるとともに、該通路（２２）が、該ノッチ（１９）が該通路（２２）と同一面となった時に該解放プランジャー（１８）を作動位置にロックするように構成された付勢ロックピン（１９）を保持していることを
特徴とする、請求項１〜２記載の構成。
【発明の詳細な説明】
【０００１】
本発明は請求項１の前文に記載されたタイプの消火器の構成に関する。
【０００２】
火災が発生した場合、その火災が手に負えなくなってしまうのを防ぐために、迅速かつ遅れずに消火に取りかかることが重要である。今日ではほとんどの家庭、職場、公共の場所に消火器が備えられている。こうした消火器の不便な点は、その解放機構が種々異なっているために、消火を開始する前に使用説明を読まなければならず、貴重な時間が失われてしまうことである。これらの解放機構の中には、使用者が相当強い力を加えなければならないものも多く、人によってはこれが困難な場合もある。
【０００３】
本発明はこれらの不便な点を解消するとともに、消火器の盗難を予防し、かつ（すでに作動させた後の）使用済みの消火器がホルダーに戻されるのを防止することを目的とする。
【０００４】
これらの課題は以前から知られていたが、満足のいく解決法はいまだに見つかっていない。米国特許第４，４８２，１２３号には、使用済みの消火器が再び掛け戻されるのを防止する装置が開示されているが、こうした消火器における重要な課題を解決するものではない。米国特許第５，７７１，９９７号には、これらの課題を解決するものとして、火災の際に自動的に作動する消火器が開示されている。これは、温度ヒューズを用いてばね駆動機構を作動させ、これにより消火機構を作動させるものである。この装置によれば、消火器をなかなか作動できないという課題は解決されるが、火災の出火場所を消火することが可能であるという利点については、無人の装置が知られており、意味がないものと思われる。すなわち、現実の出火場所に狙いを定めて消火剤を噴出できる者はいないであろうからである。
【０００５】
本発明は、前提として記載したタイプの装置における、上述の課題を解決するものであり、その特徴は請求項１に記載した通りである。本発明の更なる好ましい特徴は、残りの従属請求項に記載した通りである。
【０００６】
消火器をホルダーから外すと同時に解放機構が作動するので、消火器を盗もうという気を起こさせることがない。高圧ガスが消火器から二、三時間のうちに漏れ出してしまうので、解放機構の作動を解除する方法を知らず、且つ、そのための道具がない限り、消火器が使えなくなってしまうからである。
【０００７】
続いて、本発明の装置について、以下の図面を参照しながら、実施形態の例を用いてより詳細に説明する。
【０００８】
まず、図１、２、２ａを参照しながら本発明の好ましい実施形態を説明する。
【０００９】
本発明の必要条件に合致するように設計された上部１は、一般的な消火剤容器６にねじ止めされている。該上部１は、現在市販されている消火器の上部と同様に設計されており、容器内のガス圧を監視する圧力計７、噴射ホース用噴出口８、ハンドル４を備えている。それに加えて、該上部の両側面には溝２が備えられ、これが消火器を懸け、または固定するためのホルダーハウジング５内の偏角部３と協動するようになっている。また、作動用プランジャー１７’が設けられるとともに、これと協動するロックピン１１が消火器上部１の開口部を貫通して設けられ、作動用プランジャー１７’を消火器が作動しない位置で固定している。作動用プランジャー１７’にはばね１３’が装着されており、これによって、ロックピン１１が取り外されると作動用プランジャー１７’が下方に押しやられ、開放手段３０が押下されて開放し、公知の手法によって消火剤が噴射ホース８に流入するようになっている。該開放手段は、消火器に標準的に備えられている容器６内の開閉機構を押下し、消火剤を噴射ホース８へ流入させるのである。
【００１０】
消火器の作動法について悩まなくても済むように、ロックピン１１はホルダーハウジング５内に固定されており、ユーザがハウジング５から消火器を取り外すためにハンドル４を引くと、ロックピン１１はハウジング５内に取り残され、消火器が作動するようになっている。消火器に意図せず接触した場合にも作動してしまうのを防ぐために、ハンドル４はハウジング５の側面に設けられた曲線状の溝１０に沿って動くようになっており、ハンドル４をハウジング５から引き出すためには、下方へ向きを変えなければならないようになっている。
【００１１】
ロックピン１１は、公知の各種の手法を用いてハウジングに取り付ければよい。但し、何れの手法で取り付ける場合でも、メンテナンス等の責任者なら誰もが消火器を作動させることなくホルダーハウジング５から取り出せるようにしなければならない。そうしたメンテナンスを可能とするために、ロックピン１１はハウジングに南京錠９で固定されている。ピンの一端は屈曲していて、南京錠９の吊を通す穴が設けられるとともに、対応する折曲部１２にも同様に穴が設けられており、図２に示すようにハウジング５に取り付けられる。
【００１２】
続いて、図３以降の図面を参照しながら、本発明の第２実施形態を説明する。
【００１３】
前述の実施形態とは逆に、消火器を作動させるのに必要な力をユーザ自らが加えなければならない。すなわち、解放プランジャー１７がばねによって駆動されておらず、ハンドル４と直接協動している。ハンドル４を押し下げると、下端に球２３が取り付けられた解放プランジャー１７が、容器６の解放機構に対して押し付けられる。消火器の使用中にハンドル４を押し下げ続けなくても良いように、解放プランジャー１７の上部にノッチ１８が設けられ、ハンドル４を押し下げると、これが通路２２と同一面となる様になっている。ロックピン１９がこの通路に嵌め込まれるとともに、ばね２０によって付勢されている。ばね２０の一端はロックピン１９に押し当てられ、他端にはねじ２１が押し当てられる。ねじ２１は適当な道具を用いて通路２２にねじ止めされる。または、図４ｂに示すように、特別な鍵を使わなければ締めたり緩めたりすることができないようなロック装置（詳細は図示せず）を、ねじ２１の上部に設けても良い。これによって、解放プランジャー１７が押下されるとロックピン１９がノッチ１８内に押し進められるので、消火器は作動位置でロックされ、ハンドル４を放してもその位置が保たれる。消火器の作動位置を解除するには、特別な器具や鍵を使ってねじ２１を外し、ロックピン１９をばね２０とともに引き抜かなければならない。ばね１３によってハンドル４は有効な位置まで確実に引き上げられる。
【００１４】
本実施形態のホルダーは、上述したホルダーとはその形状が多少異なっており、消火器がホルダーから取り外されたときに作動するようになっている。図５はホルダーの側面図であるが、ホルダーは下部２８と上部２５から構成され、上部２５を軸２７に沿って回転させながら引き上げることにより、消火器をホルダー内に取り付けることができるとともに、上部２５を回転させながら引き下げて下部２８と閉じ合わせ、錠２６を使って下部２８にロックすることができる。ハンドル４は弓状に形成され、その凸面２９が解放プランジャー１７の上端に接するように配置されるとともに、端部がハウジングの側面より突き出して、ハウジング両側のＬ字溝２４に案内されている。消火器が作動しない位置では、ハンドルはばね１３によって上方に押し上げられ、Ｌ字溝２４上部に留まっている。
【００１５】
消火器の作動時、即ち取外し時には、ハンドルを押し下げて消火器を取り外すと同時に、解放プランジャー１７が押下されて作動位置にロックされ、ハンドルの弓状部はＬ字溝２４の下部に移行して、ホルダーから解放されることになる。
【００１６】
本実施形態においても、容器内の構成については、第一実施形態について述べたものと同様である。
【図面の簡単な説明】
【図１】
本発明の第一実施形態に係る消火器用ホルダーを、ホルダーハウジングのパーツを外した状態で模式的に示す斜視図である。
【図２】
図２ａは、図１に示すホルダーを側方から見た断面を消火器とともに示す図である。
図２ｂは、図２に示す解放手段の詳細を示す拡大図である。
【図３】
本発明の第二実施形態に係る、解放ハンドルをそなえた消火器の上部の断面図である。
【図４】
図４ａは、図３に示す実施形態の解放プランジャーを示す図である。
図４ｂは、図３に示す消火器の上部の詳細を模式的に示す図である。
【図５】
図３〜４ｂに示す消火器のホルダーの側面図である。
【国際公開パンフレット】
2004506493.tif 000003
2004506493.tif 000004
2004506493.tif 000005
2004506493.tif 000006
2004506493.tif 000007
2004506493.tif 000008
2004506493.tif 000009
2004506493.tif 000010
2004506493.tif 000011
2004506493.tif 000012
2004506493.tif 000013
【国際調査報告】
2004506493.tif 000014
2004506493.tif 000015